【誤訳訂正書】
【提出日】平成22年5月24日(2010.5.24)
【誤訳訂正１】
【訂正対象書類名】明細書
【訂正対象項目名】特許請求の範囲
【訂正方法】変更
【訂正の内容】
【特許請求の範囲】
【請求項１】
処理制御装置によって、レーザが光パルスを放出するとともに、位置決め装置がワークピースに対する光パルス放出の相対移動を制御することで、そのワーク上における処理のために前記光パルスをターゲット位置に当てる、レーザに基づくワークピース処理システムにおいて、前記ワークピース上で処理することを意図した複数の各ターゲット位置に順次当たるよう、同じパルスエネルギーの光パルスを発生させる方法であって、
前記処理制御装置に応答して、オートパルスのパルス繰返し率で一連のレーザ光パルスを放出するワークピース非処理モードを開始するステップと、
前記オートパルスのパルス繰返し率で放出される光パルスが前記ワークピースに当たるのを遮断するステップと、
前記ワークピース非処理モードからワークピース処理モードに切り替え、そのワークピース処理モードにおいて、前記処理制御装置が、パルス位置決め制御信号を位置決め機構に指導して、その位置決め機構を所定の位置決め速度で移動させ、そのパルス位置決め制御信号が、ワークピースターゲット位置及び連続するワークピースターゲット位置間のワークピース中間位置にそれぞれ対応する互いに離間したレーザパルス放出コマンド座標を表し、前記処理制御装置によって、レーザパルス放出コマンド座標と前記位置決め機構が前記位置決め速度で移動する際のワークピースターゲット位置及びワークピース中間位置との間の一致によって決定した、ターゲット位置パルス繰返し率でレーザ光パルス放出を行うステップと、
前記レーザパルス放出コマンド座標が前記ワークピースターゲット位置に一致する際に前記レーザ光パルスの放出を透過させ、それ以外の場合には、前記レーザ光パルスの透過を遮断し、前記オートパルスのパルス繰返し率及びターゲット位置パルス繰返し率で連続的に光パルスを放出した結果、同じパルスエネルギーの光パルスをワークピースターゲット位置に供給するステップと
を具えることを特徴とする方法。
【請求項２】
前記レーザが赤外レーザを具えることを特徴とする請求項１記載の方法。
【請求項３】
前記レーザが、非線形的な調波発生モードを用いて約５００ｎｍ未満の波長のレーザパルスを発生させる赤外レーザを具えることを特徴とする請求項１
記載の方法。
【請求項４】
前記オートパルスのパルス繰返し率及び前記ターゲット位置パルス繰返し率をほぼ等しくしたことを特徴とする請求項１記載の方法。
【請求項５】
前記オートパルスのパルス繰返し率と前記ターゲット位置パルス繰返し率のうちの少なくとも一方を、ユーザによって予め決定されたパルス繰返し率に設定したことを特徴とする請求項１記載の方法。
【請求項６】
前記オートパルスのパルス繰返し率及びターゲット位置パルス繰返し数を、前記レーザの最大パルス繰返し率にほぼ等しくしたことを特徴とする請求項４記載の方法。
【請求項７】
前記ワークピース非処理モードからワーク処理モードに切り替えることによって、光パルスの放出が生じる中間遷移期間を発生させ、その中間遷移期間中に発生した光パルス放出を前記ワークピースに当てるのを遮断するステップを更に具えることを特徴とする請求項１記載の方法。
【請求項８】
前記ワークピースは前記位置決め装置に支持されることを特徴とする請求項１記載の方法。
【請求項９】
前記ワークピースは固定されるとともに、前記位置決め装置は、前記レーザ光パルス放出を移動させることを特徴とする請求項１記載の方法。
【請求項１０】
前記ワークピースを、固定された第１軸線方向に移動させ、前記レーザ光パルス放出を、第２軸線方向に移動させることを特徴とする請求項１記載の方法。
【請求項１１】
前記光パルス放出を遮断するためにＡＯＭを用いることを特徴とする請求項１〜１０のいずれか一項に記載の方法。
【請求項１２】
前記光パルス放出を遮断するためにＥＯＭを用いることを特徴とする請求項１〜１０のいずれか一項に記載の方法。
【請求項１３】
前記レーザが固体レーザであることを特徴とする請求項請求項１〜１２のいずれか一項に記載の方法。
【誤訳訂正２】
【訂正対象書類名】明細書
【訂正対象項目名】０００１
【訂正方法】変更
【訂正の内容】
【０００１】
【技術の分野】
本発明は、レーザに関するものであり、特に、オンザフライ技術を用いる標本処理アプリケーションにおいて高パルス繰返し周波数（ＰＲＦ）で一様なエネルギーのレーザパルスを発生させる方法及び装置に関するものである。
【誤訳訂正３】
【訂正対象書類名】明細書
【訂正対象項目名】０００９
【訂正方法】変更
【訂正の内容】
【０００９】
Ｑスイッチ固体レーザは、ポジショナによって移動されるワークピース上のターゲット位置に供給されるパルス間レーザエネルギーを安定にするためにオートパルスモード及びパルスオンポジションモードを用いるパルス処理制御装置と協働して動作する。オートパルスモードにおいて、レーザパルスは、最大ＰＲＦ又はその付近で放出されるが、パルスは、音響光学変調器（ＡＯＭ）又は（ぽっけるセルとも称される）電気光学変調器のような外部変調器によってワークピースに到達するのを防止する。パルスオンポジションモードにおいて、レーザは、コマンドされたレーザビーム座標に一致する座標を通じてワークピース位置にポジショナが移動する度にパルスを放出する。処理制御システムはポジショナをほぼ一定速度で移動させ、これによって、規則的に互いに離間したコマンドされたレーザビーム座標のセットを通過するワークピースに応答して最大ＰＲＦ付近でレーザをトリガする。パルス処理制御システムは、処理すべき位置を命令されると常にＡＯＭを透過状態に設定し、処理すべきでない位置を命令されると常にＡＯＭを遮断状態にする。このパルスタイミング技術によって、レーザがほぼ一定のパルス間隔をとり、これによって、最大ＰＲＦ付近のパルス間エネルギーレベルを安定にする。
【誤訳訂正４】
【訂正対象書類名】明細書
【訂正対象項目名】００２３
【訂正方法】変更
【訂正の内容】
【００２３】
典型的なＯＴＦ処理実行中、ワークピース位置の直線的な行を、パルスオンモードで選択的に処理し、その後、制御システム１０は、オートパルスモードに切り替わり、ワークピース位置の次の直線的な行をロードし、パルスオンポジションモードに戻り、ワークピースが完全に処理されるまでそれを繰り返す。タイマ４６は、以下のレーザ操作ガイダンスに従ってセットアップされる。間隔τＰ は、ターゲットとなったパルス間隔を表し、したがって、ワークピース２０を搬送する間にＵＶレーザ装置２４からレーザパルスが放出される最大ＰＲＦを表す。ＰＲＦ値は、典型的にはＸ−Ｙポジショナ１８によって要求される時間によってターゲット位置間の移動に制約される最大値までユーザによって選択可能である。間隔τは、互いに隣接するコマンドを受けた実際のパルス間隔を表す。タイマ４６によって、オートパルスモードでτＰ に等しくなるとともにパルスオンポジションフィードバックモードでτＰ にほぼ等しくなる値を発生させる。間隔τ１ は、制御装置１０が切替モードの間のパルス間隔となる過渡的なパルス間隔を表す。過渡的なパルス間隔τ１ は、不確定なパルスエネルギーを有するパルスをＩＲレーザ２６によって放出させる０とτＰ との間の任意の値を有する。したがって、過渡的なパルス間隔τ１ の間、パルス遮断信号ライン６２を真に設定して、ＡＯＭ２８を通じたワークピース２０への任意のパルスの透過を遮断する。